(57)【要約】  無線通信装置の使用に伴う放射線の危険性及び／又はその他の危険性を減少させるための通信ポリシープログラムシステム、方法及び装置が本出願に開示されている。本発明によれば、通信装置の音声入力及び／又は出力チャンネルの内、放射線の面でより安全な、及び／又はその他の面でより安全なチャンネルを下位ユーザーに使用させるために、権限が与えられたユーザーが、ポリシープログラムを使用して、通信装置の音声入力及び／又は出力チャンネルの内の少なくとも１個を使用可能及び／又は使用不可能にできる。本出願に記載された幾つかの好ましい実施形態の内の二実施形態によれば、ポリシープログラムは、外部のソースから通信装置に転送するか、この装置内に組み込むことができる。【選択図】図１
2010541364.tif 000002
【特許請求の範囲】
【請求項１】
通信装置用のシステムであって、通信装置の音声入力及び／又は出力チャンネルの内の少なくとも１個を使用可能にしたり使用不可能にしたりできるポリシープログラムを含むシステム。
【請求項２】
ポリシープログラムを記憶するサーバー、特にインターネットサーバーを含み、このサーバーからポリシープログラムを通信装置に直接、又は中間装置にダウンロードする、請求項１に記載のシステム。
【請求項３】
通信装置は、無線装置、特に、携帯電話、ＰＤＡ、スマートフォン、又は手持ち型装置の何れかである、請求項１に記載のシステム。
【請求項４】
通信装置の音声入力及び／又は出力チャンネルは組み込まれたものである、請求項１に記載のシステム。
【請求項５】
通信装置の少なくとも１個の音声入力及び／又は出力チャンネルは、通信装置と関連して使用される付属品である、請求項１に記載のシステム。
【請求項６】
ポリシープログラムを記憶すると共に、内部的又は外部的に通信装置に結合できる任意の物理的要素及び／又は装置から成るポリシープログラムサポートを更に含む、請求項１に記載のシステム。
【請求項７】
ポリシープログラムは、通信装置のオペレーティングシステムが発生した指令を含む、通信装置内に存在する任意の他のソフトウエアから与えられる矛盾する指令に優先するものである、請求項１に記載のシステム。
【請求項８】
視覚的、非視覚的、音声作動式、ハードウエア式、又はこれらのインターフェースの種類の組合せを含む（但し、これらに限定されない）任意に種類であることができるポリシープログラムインターフェースを更に含む、請求項１に記載のシステム。
【請求項９】
ユーザーがポリシープログラムを使用できるようにするためにユーザーが入力しなければならないポリシープログラムパスワードを更に含み、また通信装置からの許可されていないポリシープログラムの削除又はその他の方法による除去を阻止する機能を任意的に含む、請求項１に記載のシステム。
【請求項１０】
請求項２〜９の１以上に記載された、又はこれらの請求項の任意の組合せによるシステム。
【請求項１１】
通信装置の音声入力及び／又は出力チャンネルを制御するためのシステムを作り出す方法であって、ポリシープログラムを作り出すこと、及びサーバーにこのポリシープログラムをロードすることを含み、このサーバーからポリシープログラム及び／又はその要素が通信装置に直接、又は中間装置にダウンロードされる方法。
【請求項１２】
サーバーは、通信中の通信装置を認識して、前記通信装置が利用可能なポリシープログラムの最も適したバージョンを選択できる、請求項２に記載のシステム。
【請求項１３】
通信装置の少なくとも１個の音声入力及び／又は出力チャンネルの存在及び／又は状態及び／又は識別に関するデータを集め、このデータを表示し、前記少なくとも１個の音声入力及び／又は出力チャンネルを使用可能にしたり使用不可能にしたりするための方法。
【請求項１４】
通信装置のユーザーが前記通信装置の少なくとも１個の音声入力及び／又は出力チャンネルを使用可能にしたり使用不可能にしたりできるようにするための方法。
【請求項１５】
通信装置の少なくとも１個の音声入力及び／又は出力チャンネルの存在及び／又は状態及び／又は識別に関するデータを集めるための、請求項１４に記載の方法。
【請求項１６】
通信装置の少なくとも１個の音声入力及び／又は出力チャンネルの存在及び／又は状態及び／又は識別に関するデータを表示するための、請求項１４及び／又は１５に記載の方法。
【請求項１７】
通信装置の少なくとも１個の音声入力及び／又は出力チャンネルを選択又は選択を解除すると共に、任意的に、この選択又は選択解除を確認するための、請求項１４及び／又は１５及び／又は１６に記載の方法。
【請求項１８】
請求項１３又は１４〜１７の１以上に記載された、又はこれらの請求項の任意の組合せによるポリシープログラム。
【請求項１９】
ユーザーがポリシープログラムを使用できるようにするためにユーザが入力しなければならないポリシープログラムパスワードを更に含む、請求項１３及び／又は１８、或いはこれらの請求項の任意の組合せによるポリシープログラム。
【請求項２０】
通信装置からの許可されていないポリシープログラムの削除又はその他の方法による除去を阻止する機能を更に含む、請求項１３又は１８〜１９の内の１以上、或いはこれらの請求項の任意の組合せによるポリシープログラム。
【請求項２１】
視覚的、非視覚的、音声作動式、ハードウエア式、又はこれらのインターフェースの種類の組合せを含む（但し、これらに限定されない）任意に種類であることができる、請求項１３又は１８〜２０の内の１以上、或いはこれらの請求項の任意の組合せによるポリシープログラムインターフェース。
【請求項２２】
通信装置であって、この通信装置内にポリシープログラムが組み込まれているか、或いは何れにせよその購入時に前記通信装置に既に存在している通信装置。
【請求項２３】
ポリシープログラムを記憶すると共に、内部的又は外部的に通信装置又は中間装置に結合できる任意の物理的要素及び／又は装置から成るポリシープログラムサポート。
【請求項２４】
ポリシープログラムサポートが、通信装置又は中間装置に挿入可能であると共にこれらの装置によって使用可能な記憶手段から成り、この記憶手段は、場合によって、メモリーカード、スマートカード、フラッシュメモリーカード、ＣＤ、ＤＶＤ又は他の均等のものを含む、請求項２３に記載のポリシープログラムサポート。
【請求項２５】
場合によって、ポリシープログラムが通信装置に転送されてから機能させられるか、或いはポリシープログラムサポートから直接機能させられる、請求項２３及び／又は２４に記載のポリシープログラムサポート。
【請求項２６】
通信装置の音声入力及び／又は出力チャンネルの内、放射線の面でより安全な、及び／又はその他の面でより安全なチャンネルを下位ユーザーに使用させるために、権限が与えられたユーザーが通信装置の音声入力及び／又は出力チャンネルの内の少なくとも１個を使用可能及び／又は使用不可能にできる、請求項１〜１０、１２、２２〜２５の内の１以上、或いはこれらの請求項の任意の組合せによるシステム。
【請求項２７】
通信装置の音声入力及び／又は出力チャンネルの内、放射線の面でより安全な、及び／又はその他の面でより安全なチャンネルを下位ユーザーに使用させるために、権限が与えられたユーザーが通信装置の音声入力及び／又は出力チャンネルの内の少なくとも１個を使用可能及び／又は使用不可能にできる、請求項１１及び１３〜２１の内の１以上、或いはこれらの請求項の任意の組合せによる方法。
【請求項２８】
無線通信装置の使用に伴う放射線の危険性及び／又はその他の危険性を減少させるための、請求項１〜２７の内の１以上或いはこれらの請求項の任意の組合せによる通信ポリシープログラムシステム、方法及び装置。
【請求項２９】
無線通信装置の使用に伴う放射線の危険性及び／又はその他の危険性を減少させるための、本質的に本出願に記載されると共に示されている通りの通信ポリシープログラムシステム、方法及び装置。
【発明の詳細な説明】
【背景技術】
【０００１】
無線通信装置、特に、携帯電話、ＰＤＡ、スマートフォン及びその他の手持ち型装置（以下、総称してＴＣＤと呼ぶ）の使用には電磁放射線の放射が伴う。また、ＴＣＤは、無線システム、ＷＡＮシステム、ＬＡＮシステム及び固定ラインシステムの内の一以上のものの上で交換可能に使用できる装置を含んでいる。このような放射線による健康上の危険性の範囲は未だに正確に評価されておらず議論となっている。これは、主に、長年に亘る前記の放射線の影響を評価するのに長い時間が必要とされるためである。しかし、無線装置の放射線は恐らく危険であるという点については意見が一致しているようであり、主に問題となっているのは、通信装置のユーザーに危害を及ぼすか否かを判定する閾値を決めることである。ＷＨＯ（世界保健機構）は、携帯電話を使用するのが危険であることを示す決定的な証拠を発見できていないが、他の独立した研究は異なる結論に達している。例えば、フィンランドの放射線及び核安全局（Radiation and Nuclear Safety Authority）のアンナ・ラーコラ（Anna Lahkola）が率いる多くの大学の研究者が行った研究では、携帯電話を使用することにより、電話を当てる頭部の側部にグリオーマと呼ばれる脳腫瘍が発生する可能性を示す強固且つ明確な証拠を発見した。何人も無線装置が発生する放射線に晒されるリスクをなおざりにできないことを示す最強の証拠は、事実上全てのＴＣＤ用のユーザーマニュアルに見出すことができる。ＴＣＤ用のユーザーマニュアルは、米国政府のＦＣＣ（連邦通信委員会）が決めた特定のＴＣＤが発生する無線周波数（radio frequency）被爆の限界に関する基準をＴＣＤが満たしていることをユーザーに対して示している。被爆の限界は、ＳＡＲ（比吸収率）によって測定され、１．６Ｗ／ｋを超えない。しかしながら、我々は、一般公衆や医学関係の権威者の多くの間では、ＴＣＤの使用に伴う放射線の危険性についての懸念が広がっていることに注目している。子供の頭蓋骨は大人の頭蓋骨よりも薄いため、子供の放射線に対する脆弱性は遥かに高い。また、放射線は神経系の発達に影響を与えることが疑われている。子供だけでなく、特に次のような人たちもＴＣＤを使用している間に危険に晒される。即ち、携帯電話による干渉によって故障する可能性のあるペースメーカーや類似の装置を有する人である。ＴＣＤの使用に伴う証明済みの他の大きな危険性は、運転中に集中力を無くすことである。ユタ大学による研究によれば、携帯電話は飲酒運転と同程度に危険である。上に述べた危険を低減するための効果的な解決策が既に存在している。例えば、ハンドフリーヘッドセット、スピーカーフォン機能、ハンドフリーカーキットである。これらは全て、ＴＣＤを頭や体からある程度離して、場合によっては、全くＴＣＤを保持する必要なく、ユーザーが会話を行うことを可能にする。これらの装置は、ユーザーの放射線に対する被曝、可能性のあるペースメーカー等との干渉、及び運転中に制御不能になることを軽減する。しかし、上記の解決策は、人的要因のために期待されるほど効果的でない。即ち、解決策があっても、ユーザーがそれを使用しない場合が多い。例えば、子供にハンドフリーヘッドセットやスピーカーフォン機能を使用するように強いること���非常に困難であり、場合によっては不可能である。また、運転しながら、場合によってはハンドフリーカーキットを全く用いないで、運転者が運転しながら話しをするのを阻止するのは困難である。従って、利用可能な解決策の潜在的な恩恵は非常に限られたものとなっている。
【０００２】
幾つかの発明では、ＴＣＤレベルにおいて放射線の問題に対処することが試みられている。特許文献１は、「手持ち電話からのマイクロ波エネルギーを吸収するシールド装置」を開示している。特許文献２は、「可搬型通信装置用のアンテナシュラウド」を開示している。特許文献３は、「プロクシ中間装置の助けによって通常の携帯電話よりも、ユーザーの脳のマイクロ波放射線に対する被曝が少ない携帯電話」を開示している。また、Ｅｎｆｏｒａが製造しているＴｉｃＴａｌｋ等の特定の携帯電話は、使用を親が管理する機能（use parental control）を有しているが、この監視は、主に、子供が行うことのできる会話の性質に関係するものであり、安全、即ち放射線の危険性の減少に対処するものではないことを言及することも価値があろう。
【０００３】
上に述べた従来技術に開示された発明は何れもＴＣＤの使用によって起こる危険性に対する解決策を提供できない。何故なら、ＴＣＤに関連して使用すべき追加の装置の使用或いは構造の変更を伴うため、高価であり、多くの既存のＴＣＤに適用することができず、ユーザーの習慣を変えることを必要とする。従って、それらは非現実的であり、一般の人々や製造業者によって採用される可能性は低い。
【０００４】
２００７年だけで約９億台の新しい携帯電話が販売され、何１０億台の古い携帯電話が既に使用されており、将来販売されるものだけでなく、既に存在している非常に多くの携帯電話についてもＴＣＤの使用に伴う危険性を低減できる解決策を提供する必要がある。
【先行技術文献】
【特許文献】
【０００５】
【特許文献１】米国特許第５，５０７，０１２号
【特許文献２】米国特許第６，１６６，７０７号
【特許文献３】米国特許第２３２３２５９７Ａ１号
【発明の概要】
【発明が解決しようとする課題】
【０００６】
本発明の目的は、ＴＣＤの使用に伴う危険性を大幅に低減する解決策を提供することである。本発明の別の目的は、既存のＴＣＤと将来のＴＣＤの両方に適用できる解決策を提供することである。本発明の更に別の目的は、ＴＣＤの構造の変更を伴うこともなく、また、既存の一般的な付属品以外に、新しい装置を必要としない解決策を提供することである。本発明の更に別の目的は、安価でアクセス可能な解決策を提供することである。本発明のこれら及びその他の目的は、以下の説明から明らかになるであろう。
【課題を解決するための手段】
【０００７】
上で述べた事柄及び本発明の目的に鑑み、通信装置、特に携帯電話の使用に関連する危険を低減するように設計された通信用ポリシープログラムシステム、方法及び装置を開示する。
【０００８】
本発明の中心的特長は、ユーザーが、他のユーザーが上記の危険を低減しながらどの様に通信装置を使うことができるかを決定できることである。これは、ＴＣＤを構造的に変化させることなく行うことができる。したがって、本発明は、将来のＴＣＤだけでなく既存のＴＣＤにも適用可能である。
【０００９】
「通信装置」又は短縮して「ＴＣＤ」という語は、無線通信装置、特に携帯電話、ＰＤＡ、スマートフォン及び他の手持ち型装置を意味する。また、「ＴＣＤ」という語は、無線システム、ＷＡＮシステム、ＬＡＮシステム及び固定ラインシステムの内の一以上のものの上で交換可能に使用できる装置も含む。他のユーザーがＴＣＤをどの様に使用するかに影響を与えるユーザーを「権限が与えられたユーザー」と呼ぶ。権限が与えられたユーザーは、ＴＣＤの所有者、或いはＴＣＤ等に対する監督権又は影響力を有する者、例えば、子供にＴＣＤの使用を許可する親である。電話に対しての監督権又は影響力を持たないユーザーを「下位ユーザー」と呼ぶ。一般に、権限が与えられたユーザーは、下位ユーザーがＴＣＤを使用する方法について何らかの好みを有する。
【００１０】
例えば、親は、子供がハンドフリーヘッドセットを使用することを好む場合が多い。何故なら、子供の脳による放射線の吸収量を低減できるからである。これを行うためには、権限が与えられたユーザーは、ＴＣＤの音声入力及び／又は出力チャンネルの内、下位ユーザーがどのチャンネルを使用できどのチャンネルを使用できないかを決定することができなければならない。本出願における「音声入力及び／又は出力チャンネル」という語は、会話中に相手方に話しをしたり相手方の話を聞いたりすることをユーザーができるようにする任意の要素、ハードウエア及び／又はソフトウエアに適用される。前記の要素はＴＣＤに組み込まれているか、ＴＣＤに結合された付属品である。最も明らかな音声入力及び／又は出力チャンネルは、ＴＣＤの受話口、ＴＣＤのマイク、スピーカーフォン、追加の組み込みラウドスピーカー、任意の種類のハンドフリーヘッドセット、自動車用ハンドフリーキット等である。既存のＴＣＤは、音声入力及び／又は出力チャンネルの内、下位ユーザーがどのチャンネルを使用できどのチャンネルを使用できないかを決定することを権限が与えられたユーザーが行えるようにするための方法を提供しない。本発明の一目的は、権限が与えられたユーザーにそのような可能性を提供することである。
【００１１】
本発明の好適な実施形態は、ＴＣＤにダウンロードできるポリシープログラムを記憶するサーバーからなる。一旦ＴＣＤにダウンロードされると、権限が与えられたユーザーは、音声入力及び／又は出力チャンネルの内のどのチャンネルを使用可能にし、どのチャンネルを使用不可能にするかを決定できる。ポリシープログラムは、特定のＴＣＤにおいて利用可能な音声入力及び／又は出力チャンネルの各々の状態を、ポリシープログラムインターフェースを用いて集めて表示する。これにより、権限が与えられたユーザーは、自由に、音声入力及び／又は出力チャンネルの内の任意のものを使用可能又は使用不可能にできる。これを行うプロセスは、ＴＣＤの音声入力及び／又は出力チャンネルの使用についてのポリシーを設定する。
【００１２】
ポリシープログラムは、ＴＣＤに直接ダウンロードしてもよいし、中間装置にダウンロードし、その後でＴＣＤに転送してもよい。「中間装置」という語は、ポリシープログラムをダウンロードし、それを目的のＴＣＤに転送することができるＰＣ等の任意の装置を意味し、別のＴＣＤであってもよい。
【００１３】
本発明の別の好適な実施形態においては、権限が与えられていない者が前記のポリシーを変更するのを阻止するために、ポリシープログラムは、それにアクセスするためのパスワードを有している。ポリシープログラムをＴＣＤから除去する或いは削除することを可能にしたり不可能にしたりする任意的な機能もパスワードの入力を必要とする。
【００１４】
本発明の更なる実施形態は、ＴＣＤと、異なるバージョンのポリシープログラムと、特定の通信中のＴＣＤを認識して最も適したバージョンのポリシープログラムをそのＴＣＤのために選択できるサーバーとを有するシステムからなる。
【００１５】
本発明の更なる追加の実施形態においては、ポリシープログラムを、サーバーからダウンロードすることなく、ポリシープログラムサポートから得ることができる。このサポートは、ポリシープログラムを記憶できる任意の物理的要素及び／又は装置（例えば、メモリーカード）からなり、この要素及び／又は装置は、ＴＣＤ及び／又は中間装置がポリシープログラムを得る即ち読み出すことができるように、ＴＣＤ及び／又は中間装置に内部的又は外部的に結合できる。
【００１６】
本発明の別の好適な実施形態においては、ポリシープログラムは、ＴＣＤに組み込まれているか、或いは、何れにせよ、ＴＣＤの購入時にＴＣＤ内に存在し、新規な通信装置を作る。
【図面の簡単な説明】
【００１７】
【図１】図１は実施形態６を示すフローチャートである。
【図２】ポリシープログラムの一部の多くの可能なグラフィクインプリメンテーションの内の一を示す図である。
【発明を実施するための形態】
【００１８】
次に本発明の幾つかの好適な実施形態を説明するが、これは例示のためだけであり、本発明が他の多くの実施形態を包含することは明らかである。
【００１９】
実施形態１
本実施形態では、ポリシープログラムはサーバー（典型的にはインターネットサーバーであるがこれに限定されない）上にロードされ、このサーバーから、ポリシープログラム、及び／又はその一部、及び／又はその更新版、及び／又はその任意の要素をＴＣＤに直接、又は中間装置にダウンロードできる。
【００２０】
現在、殆どの通信装置は、種々のネットワーク、特にインターネット及び／又はＬＡＮ及び／又はＷＡＮに接続し、種々の動作、例えば、ブラウジング、サーフィング及び前記ネットワークからの（例えば、ダウンロードによる）データの入手を行うことを通信装置ができるようにする機能を備えている。本出願においては、「接続」、「接続性」、「ネットワーク」という語は、可能な限り広い意味を有すること意図し、これらの語のどの特定の意味が使用されるかには無関係である。例示の目的だけのためであり限定を意図するものではないが、一般には、無線装置のためのインターネットアクセスに適したＷＡＰ接続を使用することが便利であるが、任意の他の接続やプロトコルも使用できる。従って、ポリシープログラムは、ＴＣＤに直接ダウンロードしてもよく、或いは中間装置、例えばＰＣに、ＰＣインターネットのための一般的なインターネット接続（例えばＴＣＰ／ＩＰ）を使用してダウンロードし、その後で、ＰＣ（又は他の中間装置）とＴＣＤとの間での利用可能な接続機能の内の任意のものを使用してＴＣＤに転送してもよい。その様な接続機能は、例えば、以下のものの内の何れかである：ＵＳＢ接続、ミニＵＳＢ接続、ブルートゥース接続、赤外線接続、ＭＭＳ、ＳＭＳ及び／又はＴＣＤと中間装置との間で互換性のある任意の他の利用可能な接続手段。
【００２１】
ポリシープログラムは、ＴＣＤの利用可能な音声入力及び／又は出力チャンネルの内のどのチャンネルを会話中に下位ユーザーが使用でき、どのチャンネルを下位ユーザーが使用できないかを権限が与えられたユーザーが決められるようにするソフトウエア構成要素である。本出願での「音声入力及び／又は出力チャンネル」という語は、会話中に相手方に話しをしたり相手方の話を聞いたりすることをユーザーができるようにする任意の要素、ハードウエア及び／又はソフトウエアに適用される。ポリシープログラムの目的は、権限が与えられたユーザーが、下位ユーザーにとって安全又は危険性が少ないと考える音声入力及び／又は出力チャンネルを使用することを下位ユーザーに強いることを権限が与えられたユーザーが行えるようにすることである。例えば、権限が与えられたユーザーが親で、下位ユーザーが権限が与えられたユーザーの息子又は娘である場合を考える。権限が与えられたユーザーは、恐らく、下位ユーザーがＴＣＤを頭又は体に接近させて使用するのを阻止するためにポリシープログラムを使用する。この場合、権限が与えられたユーザーは、受話口とマイク（図２及び関連する説明を参照）を使用不可能にし、スピーカーフォンとハンドフリーハンドセットの使用を可能にするであろう。権限が与えられたユーザーが雇い主で、下位ユーザーである従業員にビジネスフォンを使用させる他の例では、権限が与えられたユーザーは、従業員が安全に運転することを確実にするために、自動車用ハンドフリーキットとスピーカーフォン以外の全ての音声入力及び／又は出力チャンネルを使用不可能にすることを望むであろう。音声入力及び／又は出力チャンネルは、ＴＣＤの組み込み要素であってもよく、ＴＣＤと任意の方法で結合された外部の及び／又はアドオンの装置及び付属品であってもよい。音声入力及び／又は出力チャンネルの最も明らかな例としては以下のものが挙げられる：受話口ラウドスピーカー、組み込みスピーカーフォン、任意の追加のラウドスピーカー、組み込みマイク、受話口ラウドスピーカー及び／又はマイクを有する任意の種類のヘッドセット（ブルートゥース、赤外線、プラグ接続等）、及びハンドフリーカーキット。最も一般的な音声入力及び／又は出力チャンネルのタイプについては、図２及びその記載において更に説明する。
【００２２】
ポリシープログラムは、ＴＣＤのプログラミングの技術を有しているプログラマーによって容易にプログラムすることができ、音声入力及び／又は出力チャンネルの少なくとも１個の状態を設定する、即ち使用可能にしたり使用不可能にしたりするソフトウエア要素と通信を行うように設計されている。
【００２３】
上記のソフトウエア要素は、そのソフトウエア構成によって通信装置の異なるソフトウエアレベルにおいて見出すことができるであろう。従って、前記ソフトウエア要素は、例えば、オペレーティングシステムのレベル、より低い又はより高い任意のレベル、及び／又は任意のソフトウエアレイヤーにおいて見出すことができるであろう。前記ソフトウエア要素は、前記レベル及びレイヤーの不可欠な部分、例えば、独立した機能及び／又はルーチンライブラリーの一部であってもよい。何れの場合も、それらは全て同じ原理に入り、本発明の範囲に入る。何れの場合も、ポリシープログラムは、関連するソフトウエア要素、即ち、上で説明したように音声入力及び／又は出力チャンネルを使用可能にしたり使用不可能にしたりするソフトウエア要素と通信できなければならない。
【００２４】
本実施形態は、権限が与えられたユーザーに音声入力及び／又は出力チャンネルの一部又は全ての現在の状態（使用可能又は使用不可能）を知らせるとともに、権限が与えられたユーザーが、必要な時に何時でも音声入力及び／又は出力チャンネルの状態を変更できるようにするポリシープログラムインターフェースを有している。このインターフェースは、好ましくは、視覚的なものである（テキスト及び／又はグラフィックによるもの）。例えば、音声入力及び／又は出力手段のリストにそれらの状態を表す何らかの視覚的表示（例えば、「使用可能」の場合はチェックマークを付け、「使用不可能」の場合はチェックマークを付けない）を付けたものである。図２を参照されたい。権限が与えられたユーザー用のインターフェースの他の可能な種類の例としては、音声指令によって作動されるもの、又は予め割り当てられたキー又はキーの組合せ等の非視覚的インターフェース、及び異なる視覚的インターフェースと非視覚的インターフェースの組合せが挙げられる。
【００２５】
実施形態２
本実施形態は、実施形態１の要素に加え、ポリシープログラムを使用できるようにするためにユーザーがパスワードを入力することを促す機能を有している。
【００２６】
これは、権限が与えられたユーザーが定義した音声入力及び／又は出力チャンネルの状態を下位ユーザーが変更するのを阻止するためである。典型的には、権限が与えられたユーザーは、ＴＣＤを購入した後、又は権限が与えられた前のユーザーからＴＣＤを管理する権利を与えられた後に初期パスワードを入力し、必要な時に、何時でも何度でもそれを変更できる。パスワードを定義し、それを変更し、回復し、バックアップし、リセットする方法はソフトウエア分野の当業者には非常によく知られており、ここでは詳細に記載しない。
【００２７】
ポリシープログラムは、権限が与えられていないユーザーが通信装置からポリシープログラムを削除又は他の方法で除去することを阻止する機能をオプションとして有しているのが有利である。言い換えると、ユーザーが正しいパスワードを入力することでポリシープログラムインターフェースにアクセスした後で、該インターフェースを使用した場合のみポリシープログラムを除去することができる。これにより、権限が与えられたユーザーが設定した音声入力及び／又は出力チャンネルのポリシーを権限が与えられていないユーザーが回避するように試みることを避けることができる。権限が与えられていないユーザーがＴＣＤからプログラムを除去するのを不可能にするための方法も、当技術分野のプログラマーによって非常によく知られており、従ってここでは記載しない。
【００２８】
なお、特定の音声入力及び／又は出力チャンネルは、幾つかのＴＣＤには既に組み込まれている機能を用いて作動させたり止めたりすることができる。例えば、多くの携帯電話は、スピーカーフォン機能を作動させたり止めたりすることができる機能を有している。ユーザーは、この機能を使用し、ＴＣＤからある程度離れて場合によってはテーブルの上にＴＣＤを置いて会話を行うことができる。この場合、権限が与えられていないユーザーが、権限が与えられたユーザーが設定したスピーカーフォンの機能を通信組み込み機能のオプションを使用して不作動にすることを試みるかもしれない。この事実に鑑み、権限が与えられたユーザーが設定した音声入力及び／又は出力チャンネルのポリシーと矛盾する権限が与えられていないユーザーの要求を阻止し、そのような要求を拒否するために、実施形態１で述べた様に、関連するソフトウエア要素とポリシープログラムが通信できることが推奨される。即ち、ポリシープログラムは、音声入力及び／又は出力チャンネルの状態（使用可能／使用不可能）に関しては、組み込み通信ソフトウエアよりも高い優先権を有するように設計することが推奨される。
【００２９】
実施形態3
この実施形態は、要求に応じて実施形態１及び２に記載された要素を有するが、これらの要素に加え、サーバー内の識別機能を有している。一般にプログラム又はデータをサーバーからダウンロードする場合、１個以上のダウンロード可能なアイテムのリストがプログラム又はデータを要求する者に提示され（実施形態１又は実施形態２の場合も当てはまる）、要求者は、ダウンロードしたいアイテムを選択しなければならない。本実施形態の場合、ポリシーサーバーと通信中のＴＣＤの識別情報（即ち、モデル）を検出できる機構、即ち、ソフトウエア要素がポリシーサーバーに設けられている。これは、ＰＣではよく知られた技術である。例えば、幾つかのインターネットサーバーは、サーバーと通信中のＰＣの識別情報を抽出し、状況及び行うべきタスクに応じて作動する。例えば、サーバーが提供できるソフトウエア構成要素をＰＣが備えているか否かを検出する。言い換えると、ＴＣＤとポリシーサーバーとの間の通信は双方向性である。
【００３０】
ＴＣＤを識別できるため、一以上のポリシープログラムの汎用（generic）バージョンが利用可能である場合、ポリシーサーバーは、特定の装置に最も適したバージョンのポリシープログラムを選択し、任意的に、ダウンロードプロセスを自動的に開始することができる。多くのＴＣＤ即ち同じファミリーのＴＣＤにおいて同じバージョンのポリシープログラムが作動することを強調しておきたい。何故なら、実質的に同一の装置は、重要でない即ち外観上の差異しかない場合が多いからである。
【００３１】
ＴＣＤのモデルは非常に多くあるため、ポリシープログラムを汎用ポリシープログラムとすることも可能である。この汎用ポリシープログラムは、ユーザーが汎用ポリシープログラムを特定のＴＣＤに適合させ得るようにするカスタマイズ可能な部分を含んでいる。このカスタマイズは、手動により、又は特定のＴＣＤモデルを自動的に分析する動作を汎用ポリシープログラムに行わせることで行われる。この結果、適切なポリシープログラム構成が作られる。
【００３２】
この場合も、上記のオプションの全ては、通信プログラミングの分野の当業者であれば容易に理解できることを分からなければならない。
【００３３】
実施形態４
本発明のこの実施形態は、ＴＣＤと、ＴＣＤに挿入可能な任意のタイプのデータ記憶手段（例えば、メモリーカード、スマートカード、フラッシュカード等）とを含むシステムである。前記記憶手段は、実施形態１及び２で述べたように、ポリシープログラムを含んでいる。ポリシープログラムは、場合に応じて、ＴＣＤに転送された後で機能するか、或いは記憶手段から直接機能させられる。また、ＴＣＤは、ＴＣＤの外部に設けられたＣＤ、ＤＶＤ又は他の任意のタイプのデータ記憶装置から、ＰＣ又は機能的に等価の装置を介してポリシープログラムを獲得できる。より一般には、ポリシープログラムを記憶し、ＴＣＤ及び／又は中間装置に内部的又は外部的に結合できる任意の物理的要素及び／又は装置（上記のものを含む）を「ポリシープログラムサポート」と呼ぶ。
【００３４】
実施形態5
本発明の更に別の実施形態においては、実施形態１及び２に記載された様なポリシープログラムは、如何なる外部のソースからもダウンロード又は獲得されず、ポリシープログラムはＴＣＤに組み込まれているか、或いは、何れにせよＴＣＤを購入した時点で装置内に既に存在している。
【００３５】
上記の実施形態は本発明を限定するものではなく、本発明は添付の特許請求の範囲に含まれる任意の方法で実施できる。
【００３６】
更に、実施形態１〜５の一以上のものの要素を任意に組み合わせることが可能であるが、これらは本発明の範囲に入り、本発明の追加の実施形態を構成する。そのような追加の実施形態（「実施形態６」と呼ぶ）の例が図１に示されている。
【００３７】
（図面の詳細な説明）
図１
図１は実施形態６を示すフローチャートである。（１０１）において、実施形態１〜３において説明したように、ポリシープログラムがサーバーからダウンロードされる。システム構成によっては、ポリシープログラムは、「Ｙｅｓ」選択肢（１０２）で示すようにＴＣＤに直接ダウンロードされる（実施形態１参照）。
【００３８】
他の場合には、ポリシープログラムは最初にサーバーから中間装置にダウンロードされ、その後でＴＣＤに転送される（１０３）。或いは、サーバーからダウンロードすることなく、メモリーカード、記憶装置、又はその他のポリシープログラムサポートからポリシープログラムを得ることもできる（実施形態４参照）。この場合、（１０１）〜（１０２）は関係なく、フローチャートは（１０３）から始まるものと見ることができる。
【００３９】
実施形態５の場合、即ち、ポリシープログラムが組み込まれているか、或いは、何れにしてもＴＣＤの購入時にＴＣＤ内に存在している場合には、段階（１０１）〜（１０３）は無関係であり、フローチャートは（１０４）から始まるものと見ることができる。
【００４０】
権限が与えられたユーザーがプログラムを開始し（１０４）、ユーザーは、パスワードを入力するように促される（１０５）。本発明のこの実施形態では、権限が与えられたユーザーが設定したポリシーを、権限が与えられていない下位ユーザーが変更するのを阻止するためにパスワードが必要である。「ポリシー」という語は、権限が与えられたユーザーによって決定された種々の音声入力及び／又は出力チャンネルの全ての状態（「使用可能」又は「使用不可能」）の集合を意味する。また、パスワードは、ユーザーがＴＣＤからポリシープログラムを削除又は何らかの方法で除去するのを阻止する機能の状態を変更するために必要とされる。
【００４１】
パスワードが既に定義されている場合、権限が与えられたユーザーはそれを入力することができる（１０８）。パスワードが定義されていない場合、ユーザーはパスワードを作るように促され（１０７）、その後、権限が与えられたユーザーは（１０５）に戻る。権限が与えられたユーザーがパスワードを入力すると、ポリシープログラムはその有効性を確認する。パスワードが無効である場合、ユーザーは、正しいパスワードを入力するように再度促される（１０８）。パスワードが有効である場合（即ち、パスワードが正しい場合）（１０９）、権限が与えられたユーザーにパスワードを変更する選択権が与えられる。これは、下位ユーザーが現在のパスワードを知ってしまったと権限が与えられたユーザーが疑う場合には便利であろう。権限が与えられたユーザーは、パスワードを編集する（１１０）か編集しないかを選択した後、（１１１）に進む。
【００４２】
この段階（１１１）において、ポリシープログラムは、特定のＴＣＤ内で利用可能な音声入力及び／又は出力チャンネルのそれぞれの状態を表示する。音声入力及び／又は出力チャンネルの状態を表示するために、ポリシープログラムは、この状態に関するデータを最初に集めなければならない。これは種々の方法で行うことができる。例示の目的だけのためであり限定を意図するものではないが、ポリシープログラムは、一般に「診断」プログラムとして知られるものとして機能する簡単なモジュールを有することができる。「診断モジュール」と呼ぶその様なモジュールは、基本的には、種々の音声入力及び／又は出力チャンネルの存在及び／又は状態についてＴＣＤに対して「問合せ」をする。この「問合せ」は、ＴＣＤのオペレーティングシステム又はＴＣＤの他の関連するソフトウエア要素との通信をポリシープログラムにさせることによって行うことができる。ＴＣＤの種々の音声入力及び／又は出力チャンネルの現在の状態についてのデータが集められると、このデータがプログラムポリシーインターフェースを介して表示される（実施形態１参照）。ポリシープログラムインターフェースは、図２及びそれに関連する記載において詳細に説明する。
【００４３】
次の（１１２）において、権限が与えられたユーザーは、種々の音声入力及び／又は出力チャンネルの状態を編集又は確認する。これにより、権限が与えられたユーザーは、ＴＣＤの音声入力及び／又は出力チャンネルの使用についての現在のポリシーを定義する。任意的に、現在の状態に関するデータを診断モジュールに戻る前に検査のために記憶することができるが、権限が与えられたユーザーが設定した現在のポリシーを下位ユーザーが勝手に変更することに成功してしまう可能性を無くすために、権限が与えられたユーザーがポリシープログラムを入力する度に診断モジュールを新たに実行することが大いに推奨される。ＴＣＤの音声入力及び／又は出力チャンネルについてのポリシー設定プロセスが完了した後、権限が与えられたユーザーは、ポリシープログラム削除保護機能の状態を編集するか確認するかを決定できる（１１３）。この機能が有効にされると、下位ユーザー、即ち権限が与えられていないユーザーがＴＣＤからポリシープログラムを削除又は他の方法で除去することが阻止される（実施形態２参照）。明らかことではあるが、ポリシープログラムがＴＣＤに組み込まれている（例えば、限定ではないが、ＴＣＤのシステムの一部である、及び／又はＴＣＤの標準的なソフトウエアの一部である、及び／又は購入時においてＴＣＤ内に既に存在している）場合、ＴＣＤの製造業者は、ポリシープログラム削除保護機能を、デフォルトとして、或いは恒久的に「不作動」に設定する可能性が高い。次の（１１４）において、権限が与えられたユーザーはポリシープログラムを終わることができる。
【００４４】
疑いを避けるために、実施形態の精神から逸脱することなく、実施形態６の要素及び図１のフローチャートの対応する要素は異なる構成及び順序で配置でき、また、追加の要素を有してもよく、具体的に記載した要素の一部が無くてもよいことを強調しておく。
【００４５】
図２
図２は、図１の段階（１１２）で述べたものにおいて利用される、ポリシープログラムの一部の多くの可能なグラフィクインプリメンテーションの内の一を示す。この時点（１１２）において、前記したように、権限が与えられたユーザーは、種々の音声入力及び／又は出力チャンネルの状態を編集又は確認する。これを行うことにより、権限が与えられたユーザーは、ＴＣＤの音声入力及び／又は出力チャンネルの使用についての現在のポリシーを定義する。図２には、あるＴＣＤにおいて利用可能な音声入力及び／又は出力チャンネルのリストを示すメニューが概略的に示されている。このリストは例示に過ぎず、如何なる点においても限定的ではない。幾つかの他の音声入力及び／又は出力チャンネルをメニューのリストに入れることができるが、これは記載の目的とは無関係である。各個別の音声入力及び／又は出力チャンネルの名前の近くにはボックスが設けられ、ボックスには記号「Ｘ］が付けられたものもあれば、付けられていないものもある。ボックスに記号「Ｘ］が付けられている場合、それは、対応する音声入力及び／又は出力チャンネルが権限が与えられたユーザーによって選択され、従って、この音声入力及び／又は出力チャンネルの現在の状態は「使用可能」であることを意味する。選択されていない音声入力及び／又は出力チャンネルの状態は、当然「使用不可能」である。
【００４６】
勿論、特に、図２に示すリストが非常に長く多数のアイテムを含んでいる場合、その全てをＴＤＣの画面上で同時に見られるようにする必要はない。本発明によれば、ポリシープログラムインターフェースの具体的な実施形態及び／又は個々のＴＣＤの機能に応じて、権限が与えられたユーザーは、リストをスクロールするか、複数画面に分割したリストの各部分を順番に見る。
【００４７】
権限が与えられたユーザーは、各音声入力及び／又は出力チャンネルの状態を「使用可能」と「使用不可能」との間で自由に切り換えることができる。この切り換えは、ＴＣＤのポインティング及び／又はナビゲーション装置でクリックする、その目的のためのインターフェースで割り当てられたＴＣＤのボタンを使用する等、種々の方法で行うことができるが、これらに限定されるものではない。個々の音声入力及び／又は出力チャンネルを選択し及び／又は選択を解除する（即ち、使用可能にするか又は使用不可能にする）ための物理的解決策は、ポリシープログラムインターフェースの具体的な実施形態、及び／又はＴＣＤのハードウエアによって変わるが、全ての可能な変更例は本発明の範囲に入る。
【００４８】
図２のサンプルとしての音声入力及び／又は出力チャンネルの現在の状態は次の通りである。
１）受話口：使用不可能
２）マイク：使用不可能
３）スピーカーフォン：使用可能
４）ラウドスピーカー：使用不可能
５）有線ハンドフリーヘッドセット：使用可能
６）ブルートゥースハンドフリーヘッドセット：使用不可能
７）自動車用ハンドフリーキット：使用可能
【００４９】
音声入力及び／又は出力チャンネルの現在の個々の状態の全ての集合が、現在の音声入力及び／又は出力チャンネルポリシーを構成する。
【００５０】
任意的に、ポリシープログラムインターフェースは、汎用及び／又はデフォルトの音声入力及び／又は出力チャンネルに加え、特定の音声入力及び／又は出力チャンネルもリストすることもでき、これにより、これらを使用可能にしたり使用不可能にしたりできる。例えば、ポリシープログラムがノキアの電話の中で実行されている場合を想定する。この場合、ポリシープログラムは、ノキア独自のブルートゥースハンドフリーヘッドセット、又は別の製造業者、例えばジャブラ（Jabra）によるブルートゥースハンドフリーヘッドセットをリストして、それらの使用のみを可能にし、他の製造業者の装置を排除する。勿論、この場合、許可された装置をリストすることがポリシープログラムインターフェースに対して要求されるだけでなく、付属品の識別情報を確認してその使用を許可したり禁止したりすることがポリシープログラムの診断モジュールに要求される。
【００５１】
図２は、リストされた個々の音声入力及び／又は出力チャンネル(スピーカーフォンは除く)の近くに、これらの個々の音声入力及び／又は出力チャンネルの実際の表示を象徴的に示している。
【００５２】
次に、上記の音声入力及び／又は出力チャンネルは、多くの可能な音声入力及び／又は出力チャンネルの一部に過ぎないこと、及び簡潔化のために追加のチャンネルは述べられていないことを留意しながら、上記の音声入力及び／又は出力チャンネルについて簡単に説明する。
【００５３】
（２０１）受話口：「イヤフォンラウドスピーカー」又は「スピーカー」と呼ばれる場合もあり、相手方の話を聞くために会話中に使用されるデフォルトのラウドスピーカーである。
（２０２）マイク：相手方に話すために会話中に使用されるデフォルトのマイクである。
【００５４】
（２０３）スピーカーフォン：「ハンドフリー」と呼ばれる場合もあり、ＴＣＤを頭に接近させて保持しなくてもユーザーが会話できるようにする機能である。スピーカーフォン機能は、専用の部品を使用して、又は汎用のＴＣＤ音声入力及び／又は出力チャンネルを異なる方法で動作させる（例えば、スピーカーをより大きなパワーで駆動する）ことによって実施できる。
【００５５】
（２０４）ラウドスピーカー：「ブーストラウドスピーカー」と呼ばれる場合もあり、モノラルの場合は１個の追加のラウドスピーカーであり、幾つかのＴＣＤは２個のステレオ用のラウドスピーカーを備えている。ラウドスピーカーは、一般にＴＣＤの背部又は側部に位置しており、音楽及び／又は呼び出し音を再生するために、及び／又はスピーカーフォン機能の要素として使用される。
（２０５）（有線）ハンドフリーヘッドセット：「ハンドフリーキット」と呼ばれる場合もある。電線で接続されたマイクと受話口（イヤパッドの形態）を有し、通常は、その装置をユーザーの衣服に取り付けるためのクリップを備えている。ハンドフリーヘッドセットジャックを用いてＴＣＤに差し込まれる。モノであってもステレオであってもよい。ハンドフリーヘッドセットは、ＴＣＤを頭に接近させて保持することなくユーザーが会話することを可能にする。
【００５６】
（２０６）ブルートゥースハンドフリーヘッドセット：「ブルートゥースハンドフリー」とも呼ばれ、有線ハンドフリーヘッドセットと同じ目的で使用されるが、ブルートゥース接続によりＴＣＤと無線で通信する。
【００５７】
（２０７）自動車用ハンドフリーキット：（２０５）及び（２０６）と類似の目的で使用されるが、運転しながら会話を行うのに特に適している。有線式であってもよく、ブルートゥースによって通信を行ってもよい。また、自動車に恒久的に取り付けられてもよく、取り外し可能に取り付けられてもよい。
【００５８】
図２の説明を終わるに当たって、次のことも強調しておく。ポリシープログラムインターフェースは、実施形態１において述べたように、非視覚的な方法で実施できる。例えば、専用のキーの組み合わせを特定の音声入力及び／又は出力チャンネルに割り当てるか、或いは音声作動を使用して実施できる。
【図１】
2010541364.tif 000003
【図２】
2010541364.tif 000004
【国際調査報告】
2010541364.tif 000005
2010541364.tif 000006
2010541364.tif 000007
2010541364.tif 000008
2010541364.tif 000009